(57)【要約】【課題】  複数枚の券媒体の一括投入を許容し、投入された複数枚の券媒体とクリーニング媒体とを判別し、クリーニング媒体であればクリーニング処理に移行する券媒体搬送装置及び自動改札機を提供する。【解決手段】  券媒体搬送装置に対して、券媒体の投入を検知する投入検知手段と、分離搬送手段で分離搬送中の券媒体を検知する分離搬送検知手段と、取込手段による券媒体の取り込みを検知する取込検知手段と、クリーニング媒体が投入されたと判定する判定条件として、前記投入検知手段で媒体の投入を検知すること、前記分離搬送検知手段で媒体有りと検知すること、及び前記取込検知手段では媒体有りと検知されない状態が所定時間継続することを設定した判定手段と、該判定手段でクリーニング媒体が投入されたと判定した場合に該クリーニング媒体により前記分離搬送手段をクリーニングするクリーニング処理に移行する処理移行手段とを備えた。【選択図】    図３
2005258518.tif 000002
【特許請求の範囲】
【請求項１】
複数枚の券媒体の一括投入を許容する投入部と、
投入された複数枚の券媒体を１枚ずつに分離しつつ搬送する分離搬送手段と、
該分離搬送手段から券媒体を１枚ずつ取り込む取込手段とを備えた券媒体搬送装置であって、
前記券媒体の投入を検知する投入検知手段と、
前記分離搬送手段で分離搬送中の券媒体を検知する分離搬送検知手段と、
前記取込手段による券媒体の取り込みを検知する取込検知手段と、
クリーニング媒体が投入されたと判定する判定条件として、前記投入検知手段で媒体の投入を検知すること、前記分離搬送検知手段で媒体有りと検知すること、及び前記取込検知手段では媒体有りと検知されない状態が所定時間継続することを設定した判定手段と、
該判定手段でクリーニング媒体が投入されたと判定した場合に該クリーニング媒体により前記分離搬送手段をクリーニングするクリーニング処理に移行する処理移行手段とを備えた
券媒体搬送装置。
【請求項２】
前記処理移行手段で実行する処理に、
前記クリーニング処理に移行した後に、前記取込検知手段が媒体有りと検知するか、前記投入検知手段及び前記分離搬送検知手段の両方が媒体有りと検知しなくなった場合に、前記クリーニング処理を終了する処理を設定した
請求項１記載の券媒体搬送装置。
【請求項３】
前記投入検知手段から前記分離搬送検知手段までの間隔を、前記券媒体の搬送方向の媒体長より長く、かつ該券媒体の搬送方向の媒体長より長い大きさに形成された前記クリーニング媒体の搬送方向の媒体長より短い間隔に設定した
請求項１又は２記載の券媒体搬送装置。
【請求項４】
請求項１、２又は３記載の券媒体搬送装置と、
投入された複数枚の券媒体に記憶の情報を読み込む読込手段と、
該情報に基づいて通過可否の判定を行う通過判定手段とを備えた
自動改札機。
【発明の詳細な説明】
【技術分野】
【０００１】
この発明は、例えば投入された複数の券媒体を搬送しつつ１枚毎に分離するような券媒体搬送装置及び自動改札機に関する。
【背景技術】
【０００２】
従来、複数枚の券媒体を受付け、１枚ずつに分離する分離機構を備えた改札機の分離機構のクリーニングについて、通常の券媒体と透過量が異なるクリーニング媒体を使用するクリーニング方法が提案されている（特許文献１参照）。
【０００３】
このクリーニング方法では、券媒体とクリーニング媒体との光の透過量の違いによるセンサ出力の違いによりクリーニング媒体を検知し、クリーニングモードに自動で設定することで、一定時間が経過するまでローラ間にクリーニング媒体を滞留させてローラを清掃する旨提案されている。
【０００４】
また、クリーニング媒体を検知して、自動でクリーニングモードに設定する他の方法として、券媒体より搬送方向長さの長いクリーニング媒体を用いる方法が提案されている（特許文献２参照）。
【０００５】
この方法では、券媒体の搬送方向長さより長く、クリーニング媒体の搬送方向長さより短い間隔に配置された２つのセンサが、同時にカードの存在を検知したときにクリーニング媒体と判定して処理する。
【０００６】
また、他の方法として、クリーニング媒体の所定位置に光透過部を設け、この光透過部を検知することで、クリーニングモードに自動で切替える方法も提案されている（特許文献３参照）。
【０００７】
【特許文献１】特開２００３−９９８２０号公報
【特許文献２】特開平１０−２９３８０７号公報
【特許文献３】特開２００１−６７６３１号公報
【発明の開示】
【発明が解決しようとする課題】
【０００８】
しかし、上述した券媒体と透過量が異なるクリーニング媒体を使用する方法では、センサの汚れ等によってセンサ出力が低下すると、クリーニング媒体を通常の券媒体として判定してしまう問題があった。
【０００９】
また、上述した券媒体より搬送方向長さの長いクリーニング媒体を用いる方法では、図１０に示す従来例の説明図の（Ｙ）に示すように、複数枚の券媒体を投入すると、その重なり具合によってはクリーニング媒体と区別できない問題があった。
【００１０】
また、上述したクリーニング媒体の所定位置に光透過部を設ける方法でも、図１０の（Ｚ）に示すように、複数枚の券媒体を投入すると、その重なり具合によってはクリーニング媒体と区別できない問題があった。
【００１１】
この発明は、複数枚の券媒体の一括投入を許容し、投入された複数枚の券媒体とクリーニング媒体とを判別し、クリーニング媒体であればクリーニング処理に移行する券媒体搬送装置及び自動改札機を提供することを目的とする。
【課題を解決するための手段】
【００１２】
この発明は、複数枚の券媒体の一括投入を許容する投入部と、投入された複数枚の券媒体を１枚ずつに分離しつつ搬送する分離搬送手段と、該分離搬送手段から券媒体を１枚ずつ取り込む取込手段とを備えた券媒体搬送装置であって、前記券媒体の投入を検知する投入検知手段と、前記分離搬送手段で分離搬送中の券媒体を検知する分離搬送検知手段と、前記取込手段による券媒体の取り込みを検知する取込検知手段と、クリーニング媒体が投入されたと判定する判定条件として、前記投入検知手段で媒体の投入を検知すること、前記分離搬送検知手段で媒体有りと検知すること、及び前記取込検知手段では媒体有りと検知されない状態が所定時間継続することを設定した判定手段と、該判定手段でクリーニング媒体が投入されたと判定した場合に該クリーニング媒体により前記分離搬送手段をクリーニングするクリーニング処理に移行する処理移行手段とを備えた券媒体搬送装置であることを特徴とする
前記クリーニング媒体は、券媒体と同程度の厚み又は同程度以上の厚みを持つ平状体で形成することができる。例えば、紙で形成するクリーニング紙、布で形成するクリーニング布、樹脂板で形成するクリーニングシート等、クリーニング可能な媒体で構成することを含む。
【００１３】
前記所定時間は、例えば１秒や２秒等、分離搬送検知手段が媒体有りと検知して取込検知手段が媒体有りと検知しない状態が、券媒体の搬送状態によってたまたま発生し得る時間より長い時間に設定する等、予め定めた一定の時間に設定することができる。
【００１４】
前記構成により、複数の券媒体が投入されたのかクリーニング媒体が投入されたのかを確実に判定することができる。従って、複数の券媒体が投入された場合にクリーニング媒体と誤ってクリーニング処理に移行してしまうことを防止できる。
【００１５】
この発明の一実施態様として、前記処理移行手段で実行する処理に、前記クリーニング処理に移行した後に、前記取込検知手段が媒体有りと検知するか、前記投入検知手段及び前記分離搬送検知手段の両方が媒体有りと検知しなくなった場合に、前記クリーニング処理を終了する処理を設定することができる。
【００１６】
これにより、クリーニング媒体を搬送路内から取り出すだけで通常処理に復帰することができ、運用者はクリーニングを容易に完了することができる。
【００１７】
またこの発明の一実施態様として、前記投入検知手段から前記分離搬送検知手段までの間隔を、前記券媒体の搬送方向の媒体長より長く、かつ該券媒体の搬送方向の媒体長より長い大きさに形成された前記クリーニング媒体の搬送方向の媒体長より短い間隔に設定することができる。
【００１８】
これにより、複数の券媒体が投入されたのではなく、クリーニング媒体が投入されたことを、より確実に判定することができる。
【００１９】
またこの発明は、前記券媒体搬送装置と、投入された複数枚の券媒体に記憶の情報を読み込む読込手段と、該情報に基づいて通過可否の判定を行う通過判定手段とを備えた自動改札機とすることができる。  
これにより、クリーニングが容易な自動改札機を提供することができる。
【発明の効果】
【００２０】
この発明により、複数枚の券媒体の一括投入を許容し、複数の券媒体が投入されたのか、クリーニング媒体が投入されたのかを判別し、クリーニング媒体であればクリーニング処理に移行する券媒体搬送装置及び自動改札機を提供することができる
【発明を実施するための最良の形態】
【００２１】
この発明の一実施形態を以下図面と共に説明する。  
図１は自動改札機１の構成を示すブロック図であり、自動改札機１は、投入口１０、繰出し部２０、券整列部５０、読取部７１、書込部７２、ベリファイ部７３、入穿部７４、印刷部７５、重ね合せ部７６、取出口７７、券反転部８１、プール部８２、カード保留部８３、カードパンチ部８４、カード印刷部８５、集札部８６、及び別集札部８７で構成する。
【００２２】
各構成要素について説明すると、投入口１０から複数枚の券媒体が投入されると、繰出し部２０で１枚毎に分離しつつ搬送し、券整列部５０で一枚ずつ抜き取って後段へ搬送する。
【００２３】
搬送した券媒体について、読取部７１にて券媒体の磁気ストライプに記憶されている利用可能区間や購入金額や利用可能日付といった券媒体情報を読取る。
【００２４】
読取部７１では読取りヘッドを上下に配設しており、券媒体が上下逆さまに投入されていた場合は、一旦券反転部８１へ券媒体を配送して券媒体の上下を反転する。
【００２５】
読取部７１で券媒体情報を読み取り、繰出し部２０にまだ券媒体が残っている場合、読み取った券媒体は、ベリファイ部７３を通過して、５枚まで券媒体を保留できるプール部８２に一旦保留する。そして、繰出し部２０から新たに券媒体を１枚繰出す。
【００２６】
投入口１０に投入された全ての券媒体が繰出し部２０から一枚ずつ繰出され、読取部７１にて券媒体情報が全て読み取られると、通過可否を判定する。  
この通過可否の判定に従って、必要な券媒体情報を書込部７２で券媒体に書込み、ベリファイ部７３で正しく情報が書き込めているかチェックする。
【００２７】
ベリファイ部７３を通過した券媒体がカードであった場合は、カード保留部８３に一旦保留した後、カードパンチ部８４でパンチ処理し、カード印刷部８５で必要な印刷を行って重ね合せ部７６へ搬送する。
【００２８】
カードでなかった場合は、必要に応じて入穿部７４で券媒体に孔を穿ち、印刷部７５で必要な印刷を行い、返却の場合は重ね合せ部７６へ搬送し、回収の場合は集札部８６へ搬送する。
【００２９】
重ね合せ部７６では、一括して投入された券媒体のうち返却の必要なもの全てを重ね合わせ、取出口７７から券媒体を一括排出する。
【００３０】
一定時間が経過しても取出口７７から券媒体が抜き取られない場合は、取り忘れの券媒体を逆搬送して別集札部８７へ回収する。
【００３１】
以上の動作により、利用者（通過者）によって投入口１０に投入された券媒体を処理し、図示省略する制御部で通過可否を判定し、通過許可の場合は図示省略するゲート部を開放し、通過不可の場合はゲート部を閉鎖して、利用者の通過を制御することができる。
【００３２】
次に、図２に示す平面図、及び図３に示す側面図により、投入口１０及び繰出し部２０と、出し部２０から券整列部５０への連結部分の構成について説明する。
【００３３】
図２は、（Ａ）に自動改札機１の一部の平面図を示し、（Ｂ）にクリーニングシート２の平面図を示し、（Ｃ）に各種の券媒体３（３ａ，３ｂ，３ｃ）の平面図を示す。
【００３４】
また、図３は、（Ｄ）に自動改札機１の一部の側面図を示し、（Ｅ）にクリーニングシート２の側面図を示し、（Ｆ）に各種の券媒体３（３ａ，３ｂ，３ｃ）の側面図を示す。
【００３５】
この図２及び図３では、自動改札機１、クリーニングシート２、及び券媒体３の各大きさの比率を実物の比率と一致させて示している。
【００３６】
図２の（Ａ）及び図３の（Ｄ）に示す自動改札機１について、投入口１０にはシャッタ１１を備えており、券媒体の投入可否を制御する構成としている。投入口１０の後段側は、繰出し部２０から券整列部５０へ至る搬送路が存在し、ガイド板２９，２９で横方向の規制を行っている。
【００３７】
繰出し部２０は、上側搬送ベルト３９、上側搬送ベルト３９により回転駆動される上側ローラ３１，３２，３４，３６、下側搬送ベルト４９、下側搬送ベルト４９により回転駆動される下側ローラ４１，４２，４３，４４，４５，４６、及びセンサ２１，２２，２３，２４，２５で構成する。
【００３８】
上側ローラ３１，３２，３４，３６は、下側ローラ４１，４２，４３，４４，４５，４６より遅く回転するよう設定しており、何れのローラも図示省略する第１駆動系のモータによって回転する。
【００３９】
従って、上側搬送ベルト３９は下側搬送ベルト４９より遅く回転し、投入口１０に重ねて一括投入された券媒体は、上側搬送ベルト３９と下側搬送ベルト４９の間の搬送路を搬送中に、両ベルト（３９，４９）の摩擦力により下側の券媒体が上側の券媒体より搬送方向へせり出すように分離されつつ搬送されることとなる。
【００４０】
センサ２１，２２，２５は、装置左側（図２の図示上側）のセンサ２１ａ，２２ａ，２５ａと、装置右側（図２の図示下側）のセンサ２１ｂ，２２ｂ，２５ｂとを左右対称に備えて構成している。
【００４１】
ここで、センサ２１（２１ａ，２１ｂ）は、投入口１０への券媒体の投入を検知する投入検知センサである。
【００４２】
また、センサ２２（２２ａ，２２ｂ）は、繰出し部２０の上段側（投入口１０側）に備え、投入口１０に投入された券媒体が繰出し部２０に入ったことを検知するセンサである。
【００４３】
また、センサ２３、２４は、繰出し部２０の中段（搬送方向の中央付近）に備え、券媒体が繰出し部２０に存在することを検知するセンサである。
【００４４】
また、センサ２５（２５ａ，２５ｂ）は、繰出し部２０の下段側（券整列部５０側）に備え、分離しつつ搬送する券媒体が途中で詰まることなく券整列部５０への送出部近傍まで搬送できたことを検知する詰まり検知センサである。
【００４５】
なお、各センサ２１，２２，２３，２４，２５，５１は、券媒体３やクリーニングシート２といった媒体によって遮光状態となった場合にＯＮ状態となり、媒体がなければＯＦＦ状態となって、媒体の存在を検知するセンサである。
【００４６】
券整列部５０は、抜き取り検知センサ５１、抜き取りローラ５２，５３、上側搬送ベルト６２、上側搬送ベルト６２により回転駆動される上側ローラ６１、下側搬送ベルト６４、及び、下側搬送ベルト６４により回転駆動される下側ローラ６３を備えている。なお、抜き取りローラ５２，５３、上側ローラ６１及び下側ローラ６３は、何れのローラも図示省略する第２駆動系のモータによって回転する。
【００４７】
抜き取り検知センサ５１は、繰出し部２０で分離されつつ搬送されてきた券媒体の１枚を抜き取りローラ５２，５３で抜き取ったことを検知するセンサである。装置左側（図２の図示上側）の抜き取り検知センサ５１ａと、装置右側（図２の図示下側）の抜き取り検知センサ５１ｂとを左右対称に備えて構成している。
【００４８】
抜き取りローラ５２，５３は、繰出し部２０の上側搬送ベルト３９及び下側搬送ベルト４９のいずれよりも高速に取込方向に回転し、繰出し部２０から一枚ずつ分離されて送出されてきた券媒体を引き抜く。
【００４９】
上側搬送ベルト６２と下側搬送ベルト６４は、それぞれ取込方向に同一速度で回転する。
【００５０】
クリーニングシート２は、図２の（Ｂ）及び図３の（Ｅ）に示すように、搬送路への挿入部２ａと手で把持する把持部２ｂとを確認できるように切り込み２ｃを備えている。  
切り込み２ｃは、搬送方向の前後両側に対象に形成し、いずれか一方を把持すれば他方が挿入部２ａとなるように構成している。  
このクリーニングシート２を使用する際は、図４の側面図に示すように、把持部２ｂを把持して挿入部２ａのみを投入口１０の内部へ挿入する。
【００５１】
券媒体３には、図２の（Ｃ）及び図３の（Ｆ）に示すように、近郊区間の乗車券３ｂ、特急券３ａ、及び特急区間の乗車券３ｃや、図示しない定期券や回数券等、サイズの異なる様々な種類の券媒体３が存在する。
【００５２】
クリーニングシート２及び券媒体３の各サイズと、投入検知センサ２１、詰まり検知センサ２５、及び抜き取り検知センサ５１の各配置間隔との関係は、図５に示すようになる。
【００５３】
すなわち、投入検知センサ２１は、投入口１０からの間隔Ｌ１４が券媒体３の搬送方向長Ｌ３，Ｌ４，Ｌ５のどれよりも短くなるように、投入口１０に近い位置に備えている。
【００５４】
詰まり検知センサ２５は、利用可能な券媒体３のうち最も搬送方向長の長いもの、例えば特急券搬送方向長Ｌ３（図２の（Ｃ））よりも長い間隔Ｌ１５を投入検知センサ２１から隔て、かつ、投入口１０からの間隔がクリーニングシート２の挿入部２ａの挿入部搬送方向長Ｌ１よりも短い間隔Ｌ１３となる位置に設けている。
【００５５】
抜き取り検知センサ５１は、投入口１０からの間隔Ｌ１２が、詰まり検知センサ２５より遠い位置で、かつ、クリーニングシート２の挿入部２ａの搬送方向長Ｌ１よりも長い間隔となる位置に設けている。
【００５６】
また、投入検知センサ２１から抜き取り検知センサ５１までの間隔Ｌ１１は、間隔Ｌ１５より長いため、当然ながら利用可能な券媒体３のうち最も搬送方向長の長いものよりも長い間隔となっている。
【００５７】
以上の構成により、投入口１０に重ねて一括投入された複数枚の券媒体３を、繰出し部２０の上側搬送ベルト３９及び下側搬送ベルト４９で分離しつつ搬送し、抜き取りローラ５２，５３で１枚ずつ抜き取り、１枚ずつ処理することが可能となる。
【００５８】
また、投入検知センサ２１により、投入口１０への券媒体３の投入を検知することができ、投入検知センサ２１と詰まり検知センサ２５の両方ＯＮ状態で、抜き取り検知センサ５１がＯＮとならなければ、クリーニングシート２が挿入されていることを認識することが可能となる。
【００５９】
次に、図６、図７に示す処理フロー図と共に、自動改札機１の全体の動作について説明する。  
自動改札機１の制御部は、投入検知センサ２１が投入口１０に媒体（券媒体３やクリーニングシート２等の媒体）が投入されたことを検知するまで待機し（ステップｎ１：ＮＯ）、媒体が投入されると（ステップｎ１：ＹＥＳ）、メインモータである第２駆動系のモータを駆動する（ステップｎ２）。
【００６０】
これにより、上側ローラ６１（図３）及び下側ローラ６３が搬送方向に回転し、繰出し部２０で分離された券媒体が搬送されて来れば、いつでも以降の処理を行える状態としている。
【００６１】
またこのとき、シャッタ１１（図２）を閉鎖し、次の利用者の券媒体が投入されることを一定時間防止する。
【００６２】
制御部は繰出し部２０で媒体を分離しつつ搬送して繰出す繰出し処理を実行し（ステップｎ３）、読取部７１（図１）で読取り処理を実行する（ステップｎ４）。
【００６３】
繰出し部２０に媒体が残留していなければ（ステップｎ５：ＮＯ）、図７のステップｎ８に処理を進め、残留していれば（ステップｎ５：ＹＥＳ）、繰出し部２０で繰出された媒体が５枚（保留限界数）以内か否かを判定する（ステップｎ６）。
【００６４】
５枚以内の場合は（ステップｎ６：ＹＥＳ）、プール部８２に媒体を保留する保留処理を実行し（ステップｎ７）、ステップｎ３にリターンする。
【００６５】
５枚以内でない場合、すなわち６枚目以降は（ステップｎ６：ＮＯ）、図７のステップｎ１４に処理を進め、異常処理を実行して（ステップｎ１４）、処理を終了する。この異常処理では、ゲート部の閉鎖とアナウンスの報知を実行する。
【００６６】
ステップｎ５で残留媒体がなかった場合（ステップｎ５：ＮＯ）は、読取部７１で媒体の読み込みを行って通過可否（例えば料金不足なら通過不可）の判定を行い、判定がＮＧであれば（ステップｎ８：ＮＯ）、異常処理（ステップｎ１４）を実行して処理を終了する。
【００６７】
判定の結果がＯＫであれば（ステップｎ８：ＹＥＳ）、データ処理を実行し（ステップｎ９）、データ処理済みで返却する媒体を重ね合せ部７６に搬送する（ステップｎ１０）。
【００６８】
なお、前記データ処理は、書込部７２によるデータ書込み、ベリファイ部７３による書込み内容の整合確認、入穿部７４による穴あけ、及び印刷部７５による印刷といった処理を指す。
【００６９】
プール部８２に保留されている媒体がある場合は（ステップｎ１１：ＹＥＳ）、プール部８２の保留媒体の保留を解除し（ステップｎ１２）、ステップｎ９にリターンする。
【００７０】
プール部８２に保留されている媒体がない場合は（ステップｎ１１：ＮＯ）、重ね合せ部７６で重ね合わせた媒体を、重ね合わせた状態で取出口７７から放出する（ステップｎ１３）。
【００７１】
以上の動作により、自動改札機１は投入された券媒体３に対してデータ処理を実行し、正常処理として通過の許可、異常処理として通過の禁止を行うことができる。
【００７２】
次に、図８、図９に示す処理フロー図により、図６のステップｎ３で説明した繰出し処理に関する自動改札機１の動作について説明する。  
繰出し処理では、第１駆動系のモータである繰出し部のモータを駆動し（ステップｓ１）、上側搬送ベルト３９と下側搬送ベルト４９を異なる速度で搬送方向に回転させる。
【００７３】
制御部は、上側搬送ベルト３９と下側搬送ベルト４９とで搬送される媒体により詰まり検知センサ２５のいずれかがＯＮとなるまで待機し（ステップｓ２：ＮＯ）、いずれかがＯＮとなれば（ステップｓ２：ＹＥＳ）、タイマをスタートして経過時間計測を開始する（ステップｓ３）。
【００７４】
次に、抜き取りセンサ５１のいずれかがＯＮとなれば（ステップｓ４：ＹＥＳ）、媒体を予め定めた一定距離だけ搬送して第１駆動系のモータを停止する（ステップｓ９）。
【００７５】
ステップｓ４で抜き取りセンサ５１のいずれもがＯＮでなければ（ステップｓ４：ＮＯ）、予め定めた所定時間であるクリーニングモード移行判定時間が経過してタイムアップとなるまでステップｓ４にリターンする（ステップｓ５：ＮＯ）。
【００７６】
タイムアップとなれば（ステップｓ５：ＹＥＳ）、投入検知センサ２１のいずれかがＯＮとなるか判定し、いずれもがＯＮでなければ（ステップｓ６：ＮＯ）、図９のステップｓ１０に処理を進める。
【００７７】
いずれかがＯＮであった場合は（ステップｓ６：ＹＥＳ）、クリーニングモードに移行してクリーニングを実行する（ステップｓ７）。
【００７８】
このクリーニングモードでは、繰出し部２０の上側搬送ベルト３９と下側搬送ベルト４９を継続して回転させつづける。
【００７９】
これにより、クリーニングシート２の挿入部２ａで上側搬送ベルト３９と下側搬送ベルト４９の搬送側表面をクリーニングし、汚れや埃で摩擦力が落ちていた状態から、汚れや埃のない十分な摩擦力がある状態に復元できる。
【００８０】
クリーニング中に抜き取り検知センサ５１のいずれかがＯＮとなった場合は、クリーニングシート２ではなく券媒体３の搬送状態によりたまたま所定時間を経過してしまっただけであるため、ステップｓ９に処理を進める（ステップｓ８：ＹＥＳ）。  
また、抜き取り検知センサ５１のいずれもＯＮにならない場合は、ステップｓ６にリターンする（ステップｓ８：ＮＯ）
【００８１】
ステップｓ６で投入検知センサのいずれもがＯＮでなかった場合は（ステップｓ６：ＮＯ）、投入された媒体はクリーニングシート２ではないため、図９に示すようにセンサ２２，２３，２４，２５が全てＯＦＦであるか判定する（ステップｓ１０）。
【００８２】
全てＯＦＦであった場合は（ステップｓ１０：ＹＥＳ）、繰出し部２０内に媒体が存在しないため、繰出し部２０のモータである第１駆動系のモータを停止し（ステップｓ１１）、処理を終了する。
【００８３】
センサ２２，２３，２４，２５のいずれか１つでもＯＮであった場合は（ステップｓ１０：ＮＯ）、クリーニングシートではない媒体が繰出し部２０内に残留しているため、上側搬送ベルト３９及び下側搬送ベルト４９を逆回転させて媒体を一定距離逆搬送する（ステップｓ１２）。これにより、搬送されにくい状態となっている媒体について状態を変化させることができ、次の正搬送時に搬送されやすくすることができる。
【００８４】
繰出し部２０のモータである第１駆動系のモータを一旦停止し（ステップｓ１３）、モータを搬送方向に再駆動して（ステップｓ１４）、ステップｓ２にリターンする。  
なお、前記ステップｓ１２〜ｓ１４はリトライ動作に該当する。
【００８５】
以上の動作により、投入された媒体が複数枚の券媒体であれば繰出し部２０で券媒体を分離しつつ搬送することができ、クリーニングシート２が投入された場合には、これを判定してクリーニングモードに移行することができる。
【００８６】
クリーニングモードへ移行するための判定基準には、詰まり検知センサ２５のいずれかがＯＮであり（ステップｓ２：ＹＥＳ）、抜き取り検知センサ５１がいずれもＯＦＦであり（ステップｓ４：ＮＯ）、クリーニングモード移行判定時間が経過したとき（ステップｓ５：ＹＥＳ）投入検知センサ２１のいずれかがＯＮであること（ステップｓ６：ＹＥＳ）を設定している。
【００８７】
このため、クリーニングシート２の投入を確実に判定してクリーニングモードに移行することができる。
【００８８】
またクリーニングモードに移行後は、抜き取り検知センサ５１のいずれかがＯＮとなるか（ステップｓ８：ＹＥＳ）、投入検知センサ２１のいずれもがＯＦＦであって（ステップｓ６：ＮＯ）センサ２２，２３，２４，２５が全てＯＦＦである（ステップｓ１０：ＹＥＳ）場合に、クリーニングモードを終了して通常モードに移行し、自動復帰することができる。
【００８９】
従って、運用者が、クリーニングシート２を投入口１０から引き抜くと（ステップｓ６：ＮＯからステップｓ１０：ＹＥＳ）、自動改札機１は通常モードに移行する。
【００９０】
あるいは、運用者が、クリーニングシート２から手を離すと（ステップｓ８：ＹＥＳ）、自動改札機１はクリーニングシート２を内部の繰出し部２０から読取部７１、書込部７２、ベリファイ部７３、入穿部７４、印刷部７５、重ね合せ部７６を通過させて外部の取出口７７に放出し、通常モードに移行する。
【００９１】
このように、通常モードでは一括投入された複数の券媒体３を繰出し部２０で分離搬送して確実に処理し、繰出し部２０の上側搬送ベルト３９と下側搬送ベルト４９の汚れ等によりクリーニングが必要となった場合には、クリーニングシート２の挿入部２ａを投入口１０から挿入するだけでクリーニングすることができる。
【００９２】
従って、自動改札機１の運用者にとっては、取扱い説明書等を見ずとも容易にクリーニングすることができ、簡単なメンテナンスで繰出し部２０の分離性能を維持することができる。これにより、さらに自動改札機１で通過判定される利用者（通過者）に対しては、繰出し部２０の分離性能の低下による詰まり等を防止して快適な利用環境を提供することができる。
【００９３】
なお、ステップｓ７のクリーニングモードは、予め定めた一定時間であるクリーニング時間が経過するまで実行し、クリーニング時間が経過すると自動的に通常モードに移行する構成としても良い。
【００９４】
この場合は、クリーニングをどの程度の時間行えば良いか知らない運用者であっても、クリーニングモードが自動終了するために、適切なクリーニングを行うことができる。
【００９５】
また、券媒体３は、情報を記憶する磁気部を備えた磁気カード等の磁気媒体で構成したが、ＩＣチップを備えたＩＣカードで構成しても良い。
【００９６】
この発明の構成と、上述の実施形態との対応において、
この発明のクリーニング媒体は、実施形態のクリーニングシート２に対応し、
以下同様に、
投入部は、投入口１０に対応し、
券媒体搬送装置は、投入口１０、繰出し部２０及び券整列部５０に対応し、
分離搬送手段は、繰出し部２０に対応し、
投入検知手段は、投入検知センサ２１に対応し、
分離搬送検知手段は、詰まり検知センサ２５に対応し、
取込検知手段は、抜き取り検知センサ５１に対応し、
取込手段は、抜き取りローラ５２，５３に対応し、
読込手段は、読取部７１に対応し、
返却手段は、取出口７７に対応し、
クリーニング媒体の大きさは、挿入部搬送方向長Ｌ１に対応し、
投入検知手段から分離搬送検知手段までの間隔は、間隔Ｌ１５に対応し、
判定条件は、ステップｓ２＝ＹＥＳ、ステップｓ４＝ＮＯ、ステップｓ５＝ＹＥＳ、及びステップｓ６＝ＹＥＳに対応し、
クリーニング処理は、ステップｓ７に対応し、
処理移行手段は、ステップｓ７を実行する制御部に対応し、
復帰処理は、ステップｓ９，ｓ１１に対応し、
券媒体に記憶の情報は、券媒体情報に対応し、
判定手段及び通過判定手段は、制御部に対応し、
所定時間は、クリーニングモード移行判定時間に対応するも、
この発明は、上述の実施形態の構成のみに限定されるものではなく、多くの実施の形態を得ることができる。
【図面の簡単な説明】
【００９７】
【図１】自動改札機の構成を示すブロック図。
【図２】自動改札機の分離搬送部分の平面図。
【図３】自動改札機の分離搬送部分の側面図。
【図４】クリーニングシート挿入時の分離搬送部分の側面図。
【図５】自動改札機の分離搬送部分の概略を示す側面図。
【図６】自動改札機の全体動作を示す処理フロー図。
【図７】自動改札機の全体動作を示す処理フロー図。
【図８】繰出し処理での自動改札機の動作を示す処理フロー図。
【図９】繰出し処理での自動改札機の動作を示す処理フロー図。
【図１０】従来例の説明図。
【符号の説明】
【００９８】
１…自動改札機
２…クリーニングシート
３…券媒体
１０…投入口
２０…繰出し部
２１…投入検知センサ
２５…詰まり検知センサ
５１…抜き取り検知センサ
５０…券整列部
５２，５３…抜き取りローラ
７２…書込部
７７…取出口
Ｌ１…挿入部搬送方向長
Ｌ１５…間隔
【図１】
2005258518.tif 000003
【図２】
2005258518.tif 000004
【図３】
2005258518.tif 000005
【図４】
2005258518.tif 000006
【図５】
2005258518.tif 000007
【図６】
2005258518.tif 000008
【図７】
2005258518.tif 000009
【図８】
2005258518.tif 000010
【図９】
2005258518.tif 000011
【図１０】
2005258518.tif 000012